(57)【要約】【課題】一部の湾曲した筐体に透明なタッチセンサーと不透明なタッチセンサーとを設けることによって、意匠性を向上させた入力装置を提供する。【解決手段】筐体１０と、筐体１０の下側の面に貼り付けられた透明基材２０と、中心領域２３に設けられた中心透明電極４０と、中心領域２３の周辺領域２５に設けられた周辺電極３０と、を備えている。また、筐体１０及び周辺領域２５の接合面の曲率は、筐体１０及び中心領域２３の接合面の曲率よりも高い曲率で湾曲または屈曲している。また、透明基材２０の周辺領域２５には、少なくとも周辺電極３０の上側に不透明加飾層６０が設けられている。また、周辺電極３０は、銀ペーストを焼成してなる薄膜からなっている。また、中心透明電極４０及び周辺電極３０は、静電容量式のタッチセンサーの検出子として利用可能となるように独立して設けられている。【選択図】図２
2015173013.tif 000002
【特許請求の範囲】
【請求項１】
透明な筐体と、
前記筐体の下側の面に貼り付けられた透明基材と、
前記透明基材の中心領域に設けられた中心透明電極と、
前記透明基材の前記中心領域の周辺領域に設けられた周辺電極と、
を備えた電子機器であって、
前記筐体と前記周辺領域の接合面の曲率は、前記筐体と前記中心領域の接合面の曲率よりも高い曲率で湾曲または屈曲しており、
前記透明基材の前記周辺領域には、少なくとも前記周辺電極の上側に不透明加飾層が設けられており、
前記周辺電極は、銀ペーストを焼成してなる薄膜からなり、
前記中心透明電極及び前記周辺電極は、静電容量式のタッチセンサーの検出子として利用可能となるように独立して設けられている
ことを特徴とする電子機器。
【請求項２】
前記中心領域は、曲率がゼロであることを特徴とする請求項１記載の電子機器。
【請求項３】
前記中心透明電極は、酸化インジウムスズ（ＩＴＯ）からなる
ことを特徴とする請求項２に記載の電子機器。
【請求項４】
前記中心透明電極は、ポリエチレンジオキシチオフェン（ＰＥＤＯＴ）からなることを特徴とする請求項１記載の電子機器。
【請求項５】
前記筐体は、フィルムインサート成型によって成形される
ことを特徴とする請求項１に記載の電子機器。
【発明の詳細な説明】
【技術分野】
【０００１】
本発明は、電子機器に関し、特に、透明及び不透明電極を含んで腕時計の意匠性を高める電子機器に関する。
【背景技術】
【０００２】
近年、腕時計は、表示部の周囲に配置されたメカニカルスイッチ、を備えていることがある。
【０００３】
腕時計は、時計としての機能性と、装飾品としての意匠性と、を同時に求められる。また、腕時計は、意匠性を高めることによって、価値が著しく高まることがある。そのため、腕時計の外周に一部が露出して配置されるメカニカルスイッチの一部または全部を、三次元的な美観を備える静電容量式のタッチセンサーに置き換えることには需要がある。
【０００４】
尚、メカニカルスイッチとは、金属接点を有して、操作者が操作部を動かす動作を、電気的に検出する入力装置である。
【０００５】
尚、静電容量式のタッチセンサーとは、基材と、電極と、電極の静電容量の変化を読み取る検出装置と、電極及び検出装置を電気的に接続する配線と、を有して、操作者が指等の静電容量の大きい物体を電極に近づける操作を検出する入力装置である。
【０００６】
従来の入力装置としては、特許文献１に記載の容量性センサ及びメカニカルスイッチを有する電話腕時計用クリスタルが知られている。
【０００７】
図３は、従来技術にしたがって製作されたクリスタル９０１を有する電話腕時計の平面図である。図４は、従来の電話腕時計の部分断面図である。従来の電話腕時計用クリスタルは、キーボード９０２と、時計の外部へ向いた外側上部からなるクリスタル９０１とを含み、キーボード９０２は、複数のキーを含み、複数の容量性センサ９０３が形成されているクリスタル９０１の裏面に配置された少なくとも１つの電極に関連付けられ、キーは少なくとも１つの電極と反対側のクリスタル９０１の外側上部に指が置かれることによって動作し、クリスタル９０１は、厚いゾーン９０４と薄いゾーン９０５とを含み、キーボード９０２のキーは、薄いゾーン９０４にだけ配置され、クリスタル９０１は、クリスタル９０１の薄いゾーン９０４の裏側に延びた内部補強部材９１１を含むベゼル９１０上に固定され、キーボード９０２は薄いゾーン９０４と内部補強部材９１１との間に挟まれている。
【先行技術文献】
【特許文献】
【０００８】
【特許文献１】特開２００１−２７２４８６号公報
【発明の概要】
【発明が解決しようとする課題】
【０００９】
しかしながら、腕時計に用いられる入力装置は、意匠性を高めるために、より一層配慮されていることが好ましい。従来の電話腕時計用クリスタルの構成を元にして、より意匠性を高めるには、例えば、入力装置の構造を立体的にする、または、メカニカルスイッチの構成及び機能を容量性センサ９０３に統合して配置する、というような方法が考えられる。
【００１０】
しかし、従来の電話腕時計用クリスタルは、容量性センサ９０３は、電極がＩＴＯ等の材料からなるので、構造を立体的にするために湾曲または屈曲させるとき、電極の体積抵抗率は変化して、容量性センサ９０３が設計通りに機能しなくなる、という問題があった。また、容量性センサ９０３及びメカニカルスイッチを統合するために、例えば、容量性センサ９０３の面積を大きくした場合、容量性センサ９０３は平面なので、電話腕時計用クリスタルは大きくなって、意匠性が悪くなる、という問題があった。
【００１１】
本発明は、上述した課題を解決して、一部の湾曲した筐体に透明なタッチセンサーと不透明なタッチセンサーとを設けることによって、意匠性を向上させた入力装置を提供するものである。
【課題を解決するための手段】
【００１２】
この課題を解決するために、請求項１に記載の入力装置は、透明な筐体と、前記筐体の下側の面に貼り付けられた透明基材と、前記透明基材の中心領域に設けられた中心透明電極と、前記透明基材の前記中心領域の周辺領域に設けられた周辺電極と、を備えた電子機器であって、前記筐体と前記周辺領域の接合面の曲率は、前記筐体と前記中心領域の接合面の曲率よりも高い曲率で湾曲または屈曲しており、前記透明基材の前記周辺領域には、少なくとも前記周辺電極の上側に不透明加飾層が設けられており、前記周辺電極は、銀ペーストを焼成してなる薄膜からなり、前記中心透明電極及び前記周辺電極は、静電容量式のタッチセンサーの検出子として利用可能となるように独立して設けられていることに特徴を有する。
【００１３】
また、請求項２記載の入力装置は、前記中心領域は、曲率がゼロであることに特徴を有する。
【００１４】
また、請求項３記載の入力装置は、前記中心透明電極は、酸化インジウムスズ（ＩＴＯ）からなることに特徴を有する。
【００１５】
また、請求項４記載の入力装置は、前記中心透明電極は、ポリエチレンジオキシチオフェン（ＰＥＤＯＴ）からなることに特徴を有する。
【００１６】
また、請求項５記載の入力装置は、前記筐体は、フィルムインサート成型によって成形されることに特徴を有する。
【発明の効果】
【００１７】
請求項１の発明によれば、筐体の周辺領域は、透明電極ではなく銀電極を用いるので、断線や、抵抗値の大幅な変化等の問題を起すことなく湾曲させることができる。また、銀電極は、不透明加飾層に覆われて隠されるので、電子機器のＺ１の向きから銀電極は見えなくなって、銀電極が電子機器の意匠性を損なう虞は無くなる。そのため、電子機器は、筐体の周辺領域を湾曲させて意匠性を向上させることが可能となる、と共に、電子機器は、周辺領域でタッチ操作可能となる。
【００１８】
請求項２の発明によれば、中心領域に設ける中心透明電極には、例えば、ＩＴＯのような湾曲させて設けることの困難な材料が使用可能になる。また、中心領域に設ける中心透明電極は、曲率がゼロになって上下方向の寸法の歪みが無くなるので、面方向の入力操作について、より正確に操作可能なタッチセンサーの検出子になる。
【００１９】
請求項３の発明によれば、中心透明電極は、信頼性の高い、タッチセンサーの検出子になる。
【００２０】
請求項４の発明によれば、ＰＥＤＯＴからなる透明電極は、湾曲した形状であっても電極として動作可能なので、中心電極の材料にＰＥＤＯＴを用いるとき、中心透明電極は、湾曲した形状に形成することが可能になる。印刷等の製造コストの安い工程によって電極を形成することが可能となって、電子機器の製造コストが小さくなる。
【００２１】
請求項５の発明によれば、筐体に係る工程の効率化が可能となって、電子機器の製造コストを削減可能になる。
【００２２】
以上より、本発明によれば、一部の湾曲した筐体に透明なタッチセンサーと不透明なタッチセンサーとを設けることによって、意匠性を向上させた入力装置を提供できる。
【図面の簡単な説明】
【００２３】
【図１】本発明の第１実施形態の電子機器を有する腕時計の一部の上方斜視図である。
【図２】第１実施形態の電子機器の構成を説明する簡易断面図である。
【図３】従来技術に従って製作されたクリスタルを有する電話腕時計の平面図である。
【図４】従来の電話腕時計の部分断面図である。
【発明を実施するための形態】
【００２４】
［第１実施形態］
以下、本発明の電子機器を図１及び図２を参照して説明する。図１は、本発明の第１実施形態の電子機器１を有する腕時計の一部の上方斜視図である。図２は、第１実施形態の電子機器１の構成を説明する簡易断面図である。
【００２５】
（第１実施形態の構成）
第１実施形態の電子機器１は、図１に示すように、腕時計の上部に一部（筐体１０）を露出して配置される装置である。
【００２６】
また、電子機器１は、図２に示すように、フィルムインサート成型によって形成される筐体１０及びフィルムインサート成型によって筐体１０のＺ２の向きの面に貼り付けられるフレキシブル基板９０を備えている。
【００２７】
また、筐体１０のＺ２の向きの面の寸法は、予め、フレキシブル基板９０が変形可能な形状を組み合わせて設計されている。
【００２８】
フレキシブル基板９０は、図２に示すように、透明基材２０と、周辺電極３０と、中心透明電極４０と、不透明加飾層６０と、を有している。
【００２９】
また、フレキシブル基板９０は、図示していない銀ペーストを焼成してなる配線を有している。また、その配線は、不透明加飾層６０のＺ２の向きに設けられている。また、電子機器１のＺ１の向きから見たとき、その配線は、不透明加飾層６０に覆い隠されて、目視できない位置に設けられている。また、周辺電極３０及び中心透明電極４０は、その配線を介して、図示していない腕時計に属する静電容量式のタッチセンサーの解析回路に電気的に接続されている。
【００３０】
透明基材２０は、フィルムインサート成型の熱及び圧力によって変形可能な透明な合成樹脂からなるフィルムである。また、透明基材２０は、フレキシブル基板９０の基材である。また、図１及び図２に示すように、透明基材２０の中心付近には、曲率の小さい領域（中心領域２３）が設けられている、と共に、中心領域２３の周囲には、中心領域２３よりも高い曲率で湾曲または屈曲した領域（周辺領域２５）が設けられている。また、図２に示すように、透明基材２０のＺ１の向きには、不透明加飾層６０または筐体１０が設けられている。また、透明基材２０の中心領域２３のＺ１の向きの面及び筐体１０のＺ２の向きの面の一部は、接して設けられている、と共に、その接合面は接合されている。また、透明基材２０の周辺領域２５のＺ１の向きの面及び不透明加飾層６０のＺ２の向きの面は、接して設けられている、と共に、その接合面は接合されている。また、透明基材２０の中心領域２３のＺ２の向きの面の一部及び中心透明電極４０のＺ１の向きの面は、接して設けられている、と共に、透明基材２０の中心領域２３及び中心透明電極４０の接合面は接合されている。また、透明基材２０の周辺領域２５のＺ２の向きの面の一部及び周辺電極３０のＺ１の向きの面は、接して設けられている、と共に、透明基材２０の周辺領域２５及び周辺電極３０の接合面は接合されている。また、透明基材２０の一部には、周辺電極３０及び中心透明電極４０と、図示していない腕時計に属する静電容量式のタッチセンサーの解析回路と、を電気的に接続する図示していない配線が設けられている。
【００３１】
筐体１０は、透明な樹脂を成形してなる腕時計の外殻である。また、図２に示すように、周辺領域２５に対応する筐体１０の一部のＺ２の向きには、不透明加飾層６０及び透明基材２０及び周辺電極３０が設けられている。また、周辺領域２５に対応する筐体１０のＺ２の向きの面の一部及び不透明加飾層６０のＺ１の向きの面は、接して設けられている、と共に、その接合面は接合されている。また、中心領域２３に対応する筐体１０の一部のＺ２の向きには、中心透明電極４０及び透明基材２０が設けられている。また、図２に示すように、中心領域２３に対応する筐体１０のＺ２の向きの面の一部及び透明基材２０のＺ１の向きの面の一部は、接して設けられている、と共に、その接合面は接合されている。
【００３２】
不透明加飾層６０は、加飾インクを焼成してなる薄膜である。また、不透明加飾層６０は、図１及び図２に示すように、透明基材２０の周辺領域２５のＺ２の向きの面に設けられている。また、不透明加飾層６０は、周辺領域２５の全面に設けられている。また、図２に示すように、不透明加飾層６０のＺ１の向きには、筐体１０が設けられている。また、不透明加飾層６０のＺ１の向きの面及び筐体１０のＺ２の向きの面の一部は、接して設けられている、と共に、その接合面は接合されている。また、図２に示すように、不透明加飾層６０のＺ２の向きには、透明基材２０が設けられている。また、不透明加飾層６０のＺ２の向きの面及び透明基材２０のＺ１の向きの面の一部は、接して設けられている、と共に、それらの接合面は接合されている。
【００３３】
周辺電極３０は、銀ペーストを焼成してなる薄膜である。また、周辺電極３０は、図２に示すように、フレキシブル基板９０の一部に設けられている。また、周辺電極３０は、図１及び図２に示すように、透明基材２０の周辺領域２５のＺ２の向きの面の一部に２つ設けられている。また、周辺電極３０は、長方形状を有している。また、図２に示すように、周辺電極３０のＺ１の向きには、透明基材２０及び不透明加飾層６０及び筐体１０が設けられている。また、周辺電極３０のＺ１の向きの面及び透明基材２０のＺ２の向きの面の一部は、接して設けられている、と共に、その接合面は接合されている。
【００３４】
中心透明電極４０は、ＩＴＯの薄膜である。また、中心透明電極４０は、図２に示すように、フレキシブル基板９０の一部に設けられている。また、中心透明電極４０は、図１及び図２に示すように、透明基材２０の中心領域２３のＺ２の向きの面の一部に４つ並べて設けられている。また、中心透明電極４０は、正方形の形状を有している。また、図２に示すように、中心透明電極４０のＺ１の向きには、透明基材２０及び筐体１０が設けられている。また、中心透明電極４０のＺ１の向きの面及び透明基材２０のＺ２の向きの面の一部は、接して設けられている、と共に、その接合面は接合されている。
【００３５】
また、中心透明電極４０と、周辺電極３０と、は静電容量式のタッチセンサーの検出子として利用可能となるように電気的に独立して配置されている。
【００３６】
また、透明基材２０の中心領域２３は、曲率がゼロの面として設けられている。
【００３７】
また、透明基材２０の周辺領域２５は、中心領域２３の曲率よりも高い曲率で湾曲して設けられている。
【００３８】
（第１実施形態の作用）
次に、本発明である電子機器１の作用について説明する。
【００３９】
本発明である電子機器１は、フィルムインサート成型を用いて形成される。
また、フィルムインサート成型をする前に、予め、周辺電極３０及び不透明加飾層６０及び中心透明電極４０が、平坦な状態のフレキシブル基板９０の上に、蒸着またはエッチングまたは印刷等の手法を用いてパターニングされる。
【００４０】
（第１実施形態の作用；プレス加工）
また、周辺電極３０及び不透明加飾層６０及び中心透明電極４０をパターニングされたフレキシブル基板９０は、筐体１０のＺ２の向きの面に対応する形状を有するプレス加工用の金型を用いてプレス加工される。
【００４１】
次に、本発明の特徴部分である周辺電極３０及び不透明加飾層６０及び中心透明電極４０が、プレス加工によって、筐体１０のＺ２の向きの面に対応した形状に成形されるときの作用について説明する。
【００４２】
プレス加工されるとき、平坦な形状に形成されたフレキシブル基板９０の全面は、まず、ヒーター等を用いて加熱軟化させられる。
【００４３】
また、加熱軟化されたフレキシブル基板９０は、真空または圧空の力を用いて、プレス加工用の金型に押し付けられる。
【００４４】
また、プレス加工用の金型に押し付けられるとき、周辺電極３０及び不透明加飾層６０を含むフレキシブル基板９０の一部は、その金型の周辺領域２５に対応する湾曲した面に押し付けられる、と共に、その湾曲した面の形状に沿って変形する。このことによって、周辺電極３０は、銀ペーストを焼成してなる薄膜からなる湾曲した形状を有する、断線や、抵抗値の大幅な変化等の問題を起すことのないタッチセンサーの電極になる。
【００４５】
また、プレス加工用の金型に押し付けられるとき、中心透明電極４０を含むフレキシブル基板９０の一部は、その金型の中心領域２３に対応する曲率がゼロの面に押し付けられるので、中心透明電極４０は、プレス加工によって変形しない。このことによって、中心透明電極４０は、ＩＴＯの薄膜をからなる、平坦な形状を有する、断線や、抵抗値の大幅な変化等の問題のないタッチセンサーの電極になる。
【００４６】
また、プレス加工によって一部が変形したフレキシブル基板９０は、不要な部分をトリミングされる。
【００４７】
（第１実施形態の作用；フィルムインサート成型）
また、プレス加工されたフレキシブル基板９０は、筐体１０に対応する形状を備えるフィルムインサート成型用の金型に挿入される。
【００４８】
また、プレス加工されたフレキシブル基板９０が挿入された金型のＺ１の向きから透明な樹脂が流し込まれて筐体１０が成形される、と共に、筐体１０のＺ２の向きの面と、プレス加工されたフレキシブル基板９０のＺ１の向きの面と、は接合される。
【００４９】
（第１実施形態の作用；外観）
本発明である電子機器１の中心領域２３に対応する一部は、透明な樹脂からなる筐体１０と、透明な樹脂からなる透明基材２０と、ＩＴＯの薄膜からなる中心透明電極４０と、によって構成されているので、Ｚ１の向きから肉眼で見たとき、透明に見える。
【００５０】
また、電子機器１の周辺領域２５に対応する一部は、銀ペーストを焼成してなる薄膜からなる周辺電極３０と、透明基材２０の一部と、周辺電極３０のＺ１の向きに配置された不透明加飾層６０と、筐体１０の一部と、によって構成されている。そのため、電子機器１は、Ｚ１の向きから肉眼で見たとき、不透明加飾層６０のなすパターンが見える。また、周辺電極３０のＺ１の向きの面は、不透明加飾層６０に覆い隠されているので、周辺電極３０のＺ１の向きの面は、電子機器１のＺ１の向きからは見えなくなっている。
【００５１】
（第１実施形態の作用；動作）
本発明である電子機器１の中心透明電極４０または周辺電極３０に、操作者の指等の静電容量の比較的大きな物体が近づくとき、中心透明電極４０または周辺電極３０の表面の電荷の量は変化する。また、その電荷の量の変化は、透明基材２０の一部に設けられた配線を介して、腕時計に属する静電容量式のタッチセンサーの解析回路に検出される、と共に、解析される。
【００５２】
このように上記実施形態の電子機器１は、透明な筐体１０と、筐体１０の下側の面に貼り付けられた透明基材２０と、透明基材２０の中心領域２３に設けられた中心透明電極４０と、を備えている。また、透明基材２０の中心領域２３の周辺領域２５に設けられた周辺電極３０を備えている。また、筐体１０と周辺領域２５の接合面の曲率は、筐体１０と中心領域２３の接合面の曲率よりも高い曲率で湾曲または屈曲している。また、透明基材２０の周辺領域２５には、少なくとも周辺電極３０の上側に不透明加飾層６０が設けられている。また、周辺電極３０は、銀ペーストを焼成してなる薄膜からなっている。また、中心透明電極４０及び周辺電極３０は、静電容量式のタッチセンサーの検出子として利用可能となるように独立して設けられている。このことによって、筐体１０の周辺領域２５は、透明電極ではなく銀電極を用いるので、断線や、抵抗値の大幅な変化等の問題を起すことなく湾曲させることができる。また、銀電極は、不透明加飾層６０に覆われて隠されるので、電子機器１のＺ１の向きから銀電極は見えなくなって、銀電極が電子機器１の意匠性を損なう虞は無くなる。そのため、電子機器１は、筐体１０の周辺領域２５を湾曲させて意匠性を向上させることが可能となる、と共に、電子機器１は、周辺領域２５でタッチ操作可能となる。
【００５３】
また、中心領域２３は、曲率がゼロであるので、中心領域２３に設ける中心透明電極４０には、例えば、ＩＴＯのような湾曲させて設けることの困難な材料が使用可能になる。また、中心領域２３に設ける中心透明電極４０は、曲率がゼロになってＺ１及びＺ２方向の寸法の歪みが無くなるので、面方向の入力操作について、より正確に操作可能なタッチセンサーの検出子になる。
【００５４】
また、中心透明電極４０は、酸化インジウムスズ（ＩＴＯ）からなるので、中心透明電極４０は、信頼性の高い、タッチセンサーの検出子になる。
【００５５】
また、筐体１０は、フィルムインサート成型によって成形されるので、筐体１０に係る工程の効率化が可能となって、電子機器１の製造コストを削減可能になる。
【００５６】
なお、本発明は上記実施形態に限定されるものではなく、例えば次のように変形して実施することができ、これらの実施形態も本発明の技術的範囲に属する。
【００５７】
上記実施形態では、中心透明電極４０は、ＩＴＯの薄膜を用いた構成となっていたが、これらはＰＥＤＯＴの薄膜を用いていてもよい。このことによれば、ＰＥＤＯＴの薄膜は体積抵抗率を大きく変化させることなく湾曲させることが可能なので、中心透明電極４０を湾曲した形状に設けることが可能になる。また、ＰＥＤＯＴの薄膜は、印刷等のコストの小さい工程によって形成することが可能なので、電子機器１の製造コストが小さくなる。
【００５８】
上記実施形態では、不透明加飾層６０は、周辺領域２５の全面に渡って一様に形成したが、不透明加飾層６０は、周辺電極３０の位置が分かるように、何らかの表示または装飾を有していても良い。
【００５９】
上記実施形態では、中心透明電極４０は、略正方形の形状を有する、と共に、並んで４つ設けられていたが、中心透明電極４０の寸法及び配置及び個数は、静電容量式のタッチセンサーの検出子として利用可能な条件から、自由に選んだ構成であってもよい。このことによれば、透明な領域（中心領域２３）にタッチセンサーの検出子を自由に配置可能となるので、腕時計を装飾する方法の選択肢が広がる。
【００６０】
上記実施形態では、周辺電極３０は、略長方形の形状を有する、と共に、２つ設けられていたが、周辺電極３０の寸法及び配置及び個数は、静電容量式のタッチセンサーの検出子として利用可能な条件から、自由に選んだ構成であってもよい。このことによれば、湾曲した形状に設けた領域（周辺領域２５）にタッチセンサーの検出子を自由に配置可能となるので、腕時計を装飾する方法の選択肢が広がる。
【００６１】
上記実施形態では、不透明加飾層６０は、透明基材２０のＺ１の向きの面の一部に接して設けられていたが、不透明加飾層６０は、透明基材２０のＺ２の向きの面の一部に接して設けられていてもよい。その場合、周辺電極３０は、不透明加飾層６０のＺ２の向きの面の一部に接して設けられる。このことによれば、電子機器１のＺ１の向きの面から見た不透明加飾層６０の色感が変わるので、電子機器１の意匠性の自由度が広くなる。
【００６２】
上記実施形態では、中心透明電極４０は、透明基材２０のＺ２の向きの面の一部に接して設けられていたが、不透明加飾層６０は、透明基材２０のＺ１の向きの面の一部に接して設けられていてもよい。このことによれば、電子機器１が動作するとき、電子機器１を操作する操作者の指の先端部及び中心透明電極４０の表面の間の距離は、中心透明電極４０が透明基材２０のＺ２の向きの面の一部に接して設けられているときよりも、小さくなる。そのため、中心透明電極４０の表面の電荷の量は変化し易くなるので、その電荷の量の変化は検出され易くなる。また、電子機器１の操作性は向上する。
【００６３】
その他、本発明は要旨を逸脱しない範囲で種々変更して実施することができる。
【符号の説明】
【００６４】
１      電子機器
１０    筐体
２０    透明基材
２３    中心領域
２５    周辺領域
３０    周辺電極
４０    中心透明電極
６０    不透明加飾層
９０    フレキシブル基板
【図１】
2015173013.tif 000003
【図２】
2015173013.tif 000004
【図３】
2015173013.tif 000005
【図４】
2015173013.tif 000006